(57)【要約】【課題】顕微鏡装置に正しい設定情報を容易に登録するための技術を提供する。【解決手段】顕微鏡装置２００は、複数の検鏡法で使用される、ネットワークに接続された顕微鏡装置である。顕微鏡装置２００は、ネットワーク経由で情報処理装置１００と通信することで、複数の検鏡法に対応する複数のカスタマイズ設定情報を含むマスタ設定情報を情報処理装置１００から受信する。顕微鏡装置２００は、受信したマスタ設定情報に従って、顕微鏡装置２００の自機設定情報を登録する又は更新する。【選択図】図１
2019159164.tif 000002
【特許請求の範囲】
【請求項１】
複数の検鏡法で使用される、ネットワークに接続された顕微鏡装置であって、
前記ネットワーク経由で情報処理装置と通信することで、マスタ設定情報を前記情報処理装置から受信する通信部であって、前記マスタ設定情報は、前記複数の検鏡法に対応する複数のカスタマイズ設定情報を含む、という前記通信部と、
前記通信部が受信した前記マスタ設定情報に従って、前記顕微鏡装置の自機設定情報を登録する又は更新する制御部と、を備える
ことを特徴とする顕微鏡装置。
【請求項２】
請求項１に記載の顕微鏡装置において、さらに、
前記顕微鏡装置の光路上に配置された電動ユニットを備え、
前記複数のカスタマイズ設定情報の各々は、前記電動ユニットの設定を示す情報である
ことを特徴とする顕微鏡装置。
【請求項３】
請求項１に記載の顕微鏡装置において、さらに、
前記顕微鏡装置の光路上に配置された電動ユニットを備え、
前記制御部は、使用する検鏡法に対応するカスタマイズ設定情報に応じて、前記電動ユニットの設定を変更する
ことを特徴とする顕微鏡装置。
【請求項４】
請求項２に記載の顕微鏡装置において、
前記通信部は、前記複数の検鏡法に対応する複数のターゲット画質情報を前記情報処理装置から受信し、
前記制御部は、使用する検鏡法に対応するカスタマイズ設定情報と使用する前記検鏡法に対応するターゲット画質情報とに応じて、前記電動ユニットの設定を変更する
ことを特徴とする顕微鏡装置。
【請求項５】
請求項１乃至請求項４のいずれか１項に記載の顕微鏡装置において、さらに、
光学素子を装着するための複数の装着位置を有する切替部であって、前記切替部に装着された光学素子の中から選択した光学素子を前記顕微鏡装置の光路上に配置する切替部を備え、
前記マスタ設定情報は、前記複数の装着位置と前記複数の装着位置の各々に装着すべき光学素子との対応関係を示す装着設定情報を含む
ことを特徴とする顕微鏡装置。
【請求項６】
請求項５に記載の顕微鏡装置において、さらに、
前記顕微鏡装置の光路上に配置された、自動露出制御を行う撮像装置を備え、
前記通信部は、少なくとも、前記撮像装置が撮像したサンプルを特定するためのサンプル情報、前記撮像装置の露出時間を示す情報、及び、前記切替部の状態を示す情報、を含む判定要求を前記情報処理装置へ送信し、
前記制御部は、
前記判定要求に対する前記情報処理装置からの応答に基づいて、前記顕微鏡装置の異常を検出し、
前記顕微鏡装置の異常を検出すると、前記顕微鏡装置の異常を報知する
ことを特徴とする顕微鏡装置。
【請求項７】
請求項５に記載の顕微鏡装置において、さらに、
前記顕微鏡装置の光路上に配置された、自動露出制御を行う撮像装置を備え、
前記通信部は、少なくとも、前記撮像装置が撮像したサンプルを特定するためのサンプル情報、前記撮像装置で取得した前記サンプルの画像の画質情報、及び、前記切替部の状態を示す情報、を含む判定要求を前記情報処理装置へ送信し、
前記制御部は、
前記判定要求に対する前記情報処理装置からの応答に基づいて、前記顕微鏡装置の異常を検出し、
前記顕微鏡装置の異常を検出すると、前記顕微鏡装置の異常を報知する
ことを特徴とする顕微鏡装置。
【請求項８】
複数の検鏡法で使用される、ネットワークに接続された顕微鏡装置であって、
前記顕微鏡装置の利用者の操作を受け付ける受付部と、
前記受付部が受け付けた操作に基づいて、前記複数の検鏡法に対応する複数のカスタマイズ設定情報を含む自機設定情報を作成する制御部と、
前記ネットワーク経由で情報処理装置と通信することで、前記情報処理装置へ前記制御部が作成した前記自機設定情報をマスタ設定情報として送信する通信部と、を備える
ことを特徴とする顕微鏡装置。
【請求項９】
請求項８に記載の顕微鏡装置において、さらに、
前記顕微鏡装置の光路上に配置された電動ユニットを備え、
前記複数のカスタマイズ設定情報の各々は、前記電動ユニットの設定を示す情報である
ことを特徴とする顕微鏡装置。
【請求項１０】
請求項８又は請求項９に記載の顕微鏡装置において、さらに、
光学素子を装着するための複数の装着位置を有する切替部であって、前記切替部に装着された光学素子の中から選択した光学素子を前記顕微鏡装置の光路上に配置する切替部を備え、
前記自機設定情報は、前記複数の装着位置と前記複数の装着位置の各々に装着すべき光学素子との対応関係を示す装着設定情報を含む
ことを特徴とする顕微鏡装置。
【請求項１１】
請求項１０に記載の顕微鏡装置において、さらに、
前記顕微鏡装置の光路上に配置された、自動露出制御を行う撮像装置と、
前記撮像装置で取得したサンプルの画像を表示する表示装置と、を備え、
前記制御部は、前記受付部が受け付けた操作に基づいて前記表示装置に表示された画像の良否を判定し、
前記通信部は、前記制御部が前記表示装置に表示された前記画像が良好であると判定すると、少なくとも、前記撮像装置が撮像したサンプルを特定するためのサンプル情報、前記撮像装置の露出時間を示す情報、及び、前記切替部の状態を示す情報、を含む学習情報を前記情報処理装置へ送信する
ことを特徴とする顕微鏡装置。
【請求項１２】
請求項１０に記載の顕微鏡装置において、さらに、
前記顕微鏡装置の光路上に配置された、自動露出制御を行う撮像装置と、
前記撮像装置で取得したサンプルの画像を表示する表示装置と、を備え、
前記制御部は、前記受付部が受け付けた操作に基づいて前記表示装置に表示された画像の良否を判定し、
前記通信部は、前記制御部が前記表示装置に表示された前記画像が良好であると判定すると、少なくとも、前記撮像装置が撮像したサンプルを特定するためのサンプル情報、前記撮像装置で取得した画像の画質情報、及び、前記切替部の状態を示す情報、を含む学習情報を前記情報処理装置へ送信する
ことを特徴とする顕微鏡装置。
【請求項１３】
複数の検鏡法で使用される複数の顕微鏡装置とネットワーク経由で通信する情報処理装置であって、
マスタ設定情報を格納する格納部であって、前記マスタ設定情報は、前記複数の検鏡法に対応する複数のカスタマイズ設定情報を含む、という前記格納部と、
前記ネットワーク経由で前記複数の顕微鏡装置の各々と通信することで、前記複数の顕微鏡装置の各々からの設定情報要求に応じて前記設定情報要求の送信元である顕微鏡装置へ前記マスタ設定情報を送信する通信部と、を備える
ことを特徴とする情報処理装置。
【請求項１４】
請求項１３に記載の情報処理装置において、
前記格納部は、前記複数の検鏡法に対応する複数のターゲット画質情報を格納し、
前記通信部は、前記複数の顕微鏡装置の各々からの前記設定情報要求に応じて前記設定情報要求の送信元である前記顕微鏡装置へ前記複数のターゲット画質情報を送信する
ことを特徴とする情報処理装置。
【請求項１５】
請求項１３又は請求項１４に記載の情報処理装置において、さらに、
制御部を備え、
前記通信部は、少なくとも、前記複数の顕微鏡装置のうちの１つである第１顕微鏡装置が有する第１撮像装置が撮像したサンプルを特定するためのサンプル情報、前記第１撮像装置の露出時間を示す情報、及び、前記第１顕微鏡装置が有する第１切替部の状態を示す情報、を含む学習情報を前記第１顕微鏡装置から受信し、
前記制御部は、前記学習情報に基づいて、顕微鏡装置の状態が正常状態か異常状態かを判定するための判定情報を登録する又は更新する
ことを特徴とする情報処理装置。
【請求項１６】
請求項１５に記載の情報処理装置において、
前記通信部は、前記複数の顕微鏡装置の各々からの判定要求に応じて、前記判定要求の送信元である顕微鏡装置へ、判定結果を送信し、
前記制御部は、前記判定要求と前記判定情報に基づいて、前記判定要求の送信元である前記顕微鏡装置の状態が正常状態か異常状態かを示す前記判定結果を作成し、
前記判定要求は、少なくとも、前記判定要求の送信元である前記顕微鏡装置が有する第２撮像装置が撮像したサンプルを特定するためのサンプル情報、前記第２撮像装置の露出時間を示す情報、及び、前記判定要求の送信元である前記顕微鏡装置が有する第２切替部の状態を示す情報、を含む
ことを特徴とする情報処理装置。
【請求項１７】
請求項１３乃又は請求項１４に記載の情報処理装置において、さらに、
制御部を備え、
前記通信部は、前記複数の顕微鏡装置の各々からの判定要求に応じて、前記判定要求の送信元である顕微鏡装置へ、判定結果を送信し、
前記制御部は、少なくとも前記判定要求に基づいて、前記判定要求の送信元である前記顕微鏡装置の状態が正常状態か異常状態かを示す前記判定結果を作成し、
前記判定要求は、少なくとも、前記判定要求の送信元である前記顕微鏡装置が有する第２撮像装置が撮像したサンプルを特定するためのサンプル情報、前記第２撮像装置の露出時間を示す情報、及び、前記判定要求の送信元である前記顕微鏡装置が有する第２切替部の状態を示す情報、を含む
ことを特徴とする情報処理装置。
【請求項１８】
請求項１３又は請求項１４に記載の情報処理装置において、さらに、
制御部を備え、
前記通信部は、少なくとも、前記複数の顕微鏡装置のうちの１つである第１顕微鏡装置が有する第１撮像装置が撮像したサンプルを特定するためのサンプル情報、前記第１撮像装置で取得した画像の画質情報、及び、前記第１顕微鏡装置が有する第１切替部の状態を示す情報、を含む学習情報を前記第１顕微鏡装置から受信し、
前記制御部は、前記第１顕微鏡装置から受信した前記学習情報に基づいて、顕微鏡装置の状態が正常状態か異常状態かを判定するための判定情報を登録する又は更新する
ことを特徴とする情報処理装置。
【請求項１９】
請求項１８に記載の情報処理装置において、
前記通信部は、前記複数の顕微鏡装置の各々からの判定要求に応じて、前記判定要求の送信元である顕微鏡装置へ、判定結果を送信し、
前記制御部は、前記判定要求と前記判定情報に基づいて、前記判定要求の送信元である前記顕微鏡装置の状態が正常状態か異常状態かを示す前記判定結果を作成し、
前記判定要求は、少なくとも、前記判定要求の送信元である前記顕微鏡装置が有する第２撮像装置が撮像したサンプルを特定するためのサンプル情報、前記第２撮像装置が取得した画像の画質情報、及び、前記判定要求の送信元である前記顕微鏡装置が有する第２切替部の状態を示す情報、を含む
ことを特徴とする情報処理装置。
【請求項２０】
請求項１３乃又は請求項１４に記載の情報処理装置において、
前記通信部は、前記複数の顕微鏡装置の各々からの判定要求に応じて、前記判定要求の送信元である顕微鏡装置へ、判定結果を送信し、
前記制御部は、少なくとも前記判定要求に基づいて、前記判定要求の送信元である前記顕微鏡装置の状態が正常状態か異常状態かを示す前記判定結果を作成し、
前記判定要求は、少なくとも、前記判定要求の送信元である前記顕微鏡装置が有する第２撮像装置が撮像したサンプルを特定するためのサンプル情報、前記第２撮像装置が取得した画像の画質情報、及び、前記判定要求の送信元である前記顕微鏡装置が有する第２切替部の状態を示す情報、を含む
ことを特徴とする情報処理装置。
【請求項２１】
請求項１３又は請求項１４に記載の情報処理装置において、
前記通信部は、前記マスタ設定情報を前記複数の顕微鏡装置のうちの１つである第１顕微鏡装置から受信し、
前記格納部は、前記第１顕微鏡装置から受信した前記マスタ設定情報を格納する
ことを特徴とする情報処理装置。
【請求項２２】
請求項１に記載の顕微鏡装置と、
請求項１３に記載の情報処理装置と、を備える
ことを特徴とするシステム。
【請求項２３】
請求項８に記載の顕微鏡装置と、
請求項１３に記載の情報処理装置と、を備える
ことを特徴とするシステム。
【請求項２４】
複数の検鏡法で使用される、ネットワークに接続された顕微鏡装置の動作方法であって、
前記ネットワーク経由で情報処理装置と通信することで、マスタ設定情報を前記情報処理装置から受信し、
前記マスタ設定情報は、前記複数の検鏡法に対応する複数のカスタマイズ設定情報を含み、
受信した前記マスタ設定情報に従って、前記顕微鏡装置の自機設定情報を登録する又は更新する
ことを特徴とする動作方法。
【請求項２５】
複数の検鏡法で使用される、ネットワークに接続された顕微鏡装置の動作方法であって、
前記顕微鏡装置の利用者の操作に基づいて、前記複数の検鏡法に対応する複数のカスタマイズ設定情報を含む自機設定情報を作成し、
前記ネットワーク経由で情報処理装置と通信することで、作成した前記自機設定情報をマスタ設定情報として前記情報処理装置へ送信する
ことを特徴とする動作方法。
【請求項２６】
複数の検鏡法で使用される複数の顕微鏡装置とネットワーク経由で通信する情報処理装置の動作方法であって、
前記ネットワーク経由で前記複数の顕微鏡装置の各々と通信することで、前記複数の顕微鏡装置の各々からの設定情報要求に応じて、マスタ設定情報を送信し、
前記マスタ設定情報は、前記複数の検鏡法に対応する複数のカスタマイズ設定情報を含む
ことを特徴とする動作方法。
【請求項２７】
複数の検鏡法で使用される、ネットワークに接続された顕微鏡装置のコンピュータに、
前記ネットワーク経由で情報処理装置と通信することで、前記複数の検鏡法に対応する複数のカスタマイズ設定情報を含むマスタ設定情報を前記情報処理装置から受信し、
受信した前記マスタ設定情報に従って、前記顕微鏡装置の自機設定情報を登録する又は更新する
処理を実行させることを特徴とするプログラム。
【請求項２８】
複数の検鏡法で使用される、ネットワークに接続された顕微鏡装置のコンピュータに、
前記顕微鏡装置の利用者の操作に基づいて、前記複数の検鏡法に対応する複数のカスタマイズ設定情報を含む自機設定情報を作成し、
前記ネットワーク経由で情報処理装置と通信することで、作成した前記自機設定情報をマスタ設定情報として前記情報処理装置へ送信する
処理を実行させることを特徴とするプログラム。
【請求項２９】
複数の検鏡法で使用される複数の顕微鏡装置とネットワーク経由で通信する情報処理装置のコンピュータに、
前記ネットワーク経由で前記複数の顕微鏡装置の各々と通信することで、前記複数の顕微鏡装置の各々からの設定情報要求に応じて、前記設定情報要求の送信元である顕微鏡装置へ前記複数の検鏡法に対応する複数のカスタマイズ設定情報を含むマスタ設定情報を送信する
処理を実行させることを特徴とするプログラム。
【発明の詳細な説明】
【技術分野】
【０００１】
本明細書の開示は、顕微鏡装置、情報処理装置、システム、動作方法、及び、プログラムに関する。
【背景技術】
【０００２】
現在、顕微鏡装置は、産業界において、様々な分野で様々な用途に使用されている（例えば、特許文献１、特許文献２参照）。例えば、顕微鏡装置は、生体から採取した検体の検査を行う臨床検査機関、半導体等の電子部品を検査する検査工場、などの検査施設に、検査装置として導入されている。
【０００３】
上記のような検査施設の多くには、同じ構成を有する複数の顕微鏡装置が導入されている。そして、これら複数の顕微鏡装置を同じ設定で使用することで、検査施設において大量の試料を一定水準の品質で検査することが可能となっている。
【先行技術文献】
【特許文献】
【０００４】
【特許文献１】特開２００１−０５７１７１号公報
【特許文献２】特開２０１１−０５９１７９号公報
【発明の概要】
【発明が解決しようとする課題】
【０００５】
ところで、複数の顕微鏡装置を同じ設定で使用するためには、複数の顕微鏡装置に予め同じ設定情報を入力して登録しなければならない。特に、顕微鏡装置には検鏡法毎に設定が異なるといった顕微鏡装置特有の課題があるため、各顕微鏡装置へ検鏡法毎に似た様な情報を設定情報として繰り返し入力しなければならない。さらに、例えば中心となる検査施設（以降、中心拠点と記す）で立ち上げた検査ラインを国内外の他の拠点（以降、単に拠点）に導入する場合などには、異なるロケーションにある複数の顕微鏡装置に同じ設定情報を入力しなければならない。
【０００６】
従来はこのような作業が人手で行われてきたが、人手による作業は、コストと品質の両面において望ましくない。例えば、作業を一人又は少人数で一括して行うと、各人の作業量が膨大になり、各作業者にかかる負担が大きくなりすぎる。また、大人数で一括して行うと、各人にかかる負担は軽減されるがコストが嵩んでしまう。また、各顕微鏡装置の利用者が個別に作業を行うと、誤った設定情報の入力が生じやすくなる。
【０００７】
以上のような実情を踏まえ、本発明の一側面に係る目的は、顕微鏡装置に正しい設定情報を容易に登録するための技術を提供することである。
【課題を解決するための手段】
【０００８】
本発明の一態様に係る顕微鏡装置は、複数の検鏡法で使用される、ネットワークに接続された顕微鏡装置であって、前記ネットワーク経由で情報処理装置と通信することで、マスタ設定情報を前記情報処理装置から受信する通信部であって、前記マスタ設定情報は、前記複数の検鏡法に対応する複数のカスタマイズ設定情報を含む、という前記通信部と、前記通信部が受信した前記マスタ設定情報に従って、前記顕微鏡装置の自機設定情報を登録する又は更新する制御部と、を備える。
【０００９】
本発明の別の態様に係る顕微鏡装置は、複数の検鏡法で使用される、ネットワークに接続された顕微鏡装置であって、前記顕微鏡装置の利用者の操作を受け付ける受付部と、前記受付部が受け付けた操作に基づいて、前記複数の検鏡法に対応する複数のカスタマイズ設定情報を含む自機設定情報を作成する制御部と、前記ネットワーク経由で情報処理装置と通信することで、前記情報処理装置へ前記制御部が作成した前記自機設定情報をマスタ設定情報として送信する通信部と、を備える。
【００１０】
本発明の一態様に係る情報処理装置は、複数の検鏡法で使用される複数の顕微鏡装置とネットワーク経由で通信する情報処理装置であって、マスタ設定情報を格納する格納部であって、前記マスタ設定情報は、前記複数の検鏡法に対応する複数のカスタマイズ設定情報を含む、という前記格納部と、前記ネットワーク経由で前記複数の顕微鏡装置の各々と通信することで、前記複数の顕微鏡装置の各々からの設定情報要求に応じて前記設定情報要求の送信元である顕微鏡装置へ前記マスタ設定情報を送信する通信部と、を備える。
【００１１】
本発明の一態様に係るシステムは、上記の一態様に係る顕微鏡装置と、上記の一態様に係る情報処理装置と、を備える。
【００１２】
本発明の別の態様に係るシステムは、上記の別の態様に係る顕微鏡装置と、上記の一態様に係る情報処理装置と、を備える。
【００１３】
本発明の一態様に係る動作方法は、複数の検鏡法で使用される、ネットワークに接続された顕微鏡装置の動作方法であって、前記ネットワーク経由で情報処理装置と通信することで、マスタ設定情報を前記情報処理装置から受信し、前記マスタ設定情報は、前記複数の検鏡法に対応する複数のカスタマイズ設定情報を含み、受信した前記マスタ設定情報に従って、前記顕微鏡装置の自機設定情報を登録する又は更新する。
【００１４】
本発明の別の態様に係る動作方法は、複数の検鏡法で使用される、ネットワークに接続された顕微鏡装置の動作方法であって、前記顕微鏡装置の利用者の操作に基づいて、前記複数の検鏡法に対応する複数のカスタマイズ設定情報を含む自機設定情報を作成し、前記ネットワーク経由で情報処理装置と通信することで、作成した前記自機設定情報をマスタ設定情報として前記情報処理装置へ送信する。
【００１５】
本発明の更に別の態様に係る動作方法は、複数の検鏡法で使用される複数の顕微鏡装置とネットワーク経由で通信する情報処理装置の動作方法であって、前記ネットワーク経由で前記複数の顕微鏡装置の各々と通信することで、前記複数の顕微鏡装置の各々からの設定情報要求に応じて、マスタ設定情報を送信し、前記マスタ設定情報は、前記複数の検鏡法に対応する複数のカスタマイズ設定情報を含む。
【００１６】
本発明の一態様に係るプログラムは、複数の検鏡法で使用される、ネットワークに接続された顕微鏡装置のコンピュータに、前記ネットワーク経由で情報処理装置と通信することで、前記複数の検鏡法に対応する複数のカスタマイズ設定情報を含むマスタ設定情報を前記情報処理装置から受信し、受信した前記マスタ設定情報に従って、前記顕微鏡装置の自機設定情報を登録する又は更新する処理を実行させる。
【００１７】
本発明の別の態様に係るプログラムは、複数の検鏡法で使用される、ネットワークに接続された顕微鏡装置のコンピュータに、前記顕微鏡装置の利用者の操作に基づいて、前記複数の検鏡法に対応する複数のカスタマイズ設定情報を含む自機設定情報を作成し、前記ネットワーク経由で情報処理装置と通信することで、作成した前記自機設定情報をマスタ設定情報として前記情報処理装置へ送信する処理を実行させる。
【００１８】
本発明の更に別の態様に係るプログラムは、複数の検鏡法で使用される複数の顕微鏡装置とネットワーク経由で通信する情報処理装置のコンピュータに、前記ネットワーク経由で前記複数の顕微鏡装置の各々と通信することで、前記複数の顕微鏡装置の各々からの設定情報要求に応じて、前記設定情報要求の送信元である顕微鏡装置へ前記複数の検鏡法に対応する複数のカスタマイズ設定情報を含むマスタ設定情報を送信する処理を実行させる。
【発明の効果】
【００１９】
上記の態様によれば、顕微鏡装置に正しい設定情報を容易に登録するための技術を提供することができる。
【図面の簡単な説明】
【００２０】
【図１】第１の実施形態に係るシステム１の構成を例示した図である。
【図２】管理端末３００ａ及び管理端末３００ｂを例示した図である。
【図３】顕微鏡装置２００の構成を例示した図である。
【図４】顕微鏡本体１０の構成を例示した図である。
【図５】ミラースライダ１３の構成を例示した図である。
【図６】レボルバ１４の構成を例示した図である。
【図７】コンピュータ３０の構成を例示した図である。
【図８】情報処理装置１００の構成を例示した図である。
【図９】システム１が行う処理を例示したシーケンス図である。
【図１０】マスタ設定情報を説明するための図である。
【図１１】第１設定準備処理のフローチャートの一例である。
【図１２】マスタ設定情報登録処理のフローチャートの一例である。
【図１３】学習処理のフローチャートの一例である。
【図１４】判定情報登録更新処理のフローチャートの一例である。
【図１５】メイン画面を例示した図である。
【図１６】装着設定情報登録画面を例示した図である。
【図１７】装着設定情報登録画面を例示した別の図である。
【図１８】装着設定情報ファイルの一例を示した図である。
【図１９】カスタマイズ設定情報登録画面を例示した図である。
【図２０】カスタマイズ設定情報ファイルの一例を示した図である。
【図２１】伝送ファイル設定画面を例示した図である。
【図２２】メイン画面Ｇ１ａを例示した図である。
【図２３】装置状態ファイルの一例を示した図である。
【図２４】異常検知判定ファイルの一例を示した図である。
【図２５】ログファイルの一例を示した図である。
【図２６】システム１が行う別の処理を例示したシーケンス図である。
【図２７】第２設定準備処理のフローチャートの一例である。
【図２８】マスタ設定情報送信処理のフローチャートの一例である。
【図２９】システム１が行う更に別の処理を例示したシーケンス図である。
【図３０】対物レンズ装着確認処理のフローチャートの一例である。
【図３１】判定結果送信処理のフローチャートの一例である。
【図３２】ミラーユニット装着確認処理のフローチャートの一例である。
【図３３】装着確認画面を例示した図である。
【図３４】システム１が行う更に別の処理を例示したシーケンス図である。
【図３５】異常判定処理のフローチャートの一例である。
【図３６】メイン画面を例示した図である。
【図３７】第２の実施形態に係るシステム２の構成を例示した図である。
【図３８】判定情報登録更新処理のフローチャートの別の例である。
【図３９】異常検知判定ファイルの別の例を示した図である。
【図４０】第３の実施形態に係るシステムが行う処理を例示したシーケンス図である。
【図４１】第３設定準備処理のフローチャートの一例である。
【図４２】情報送信処理のフローチャートの一例である。
【図４３】伝送ファイル設定画面を例示した図である。
【図４４】ターゲット画質情報ファイルの一例を示した図である。
【図４５】判定結果送信処理のフローチャートの別の例である。
【図４６】管理画面Ｗ１を例示した図である。
【図４７】ステータス一覧画面Ｗ２を例示した図である。
【図４８】伝送ファイル設定画面Ｗ３を例示した図である。
【図４９】故障予知方法を説明するための図である。
【発明を実施するための形態】
【００２１】
［第１の実施形態］
図１は、第１の実施形態に係るシステム１の構成を例示した図である。図２は、管理端末３００ａ及び管理端末３００ｂを例示した図である。図３は、顕微鏡装置２００の構成を例示した図である。図４は、顕微鏡本体１０の構成を例示した図である。図５は、ミラースライダ１３の構成を例示した図である。図６は、レボルバ１４の構成を例示した図である。図７は、コンピュータ３０の構成を例示した図である。図８は、情報処理装置１００の構成を例示した図である。以下、図１から図８を参照しながら、システム１の構成について説明する。
【００２２】
システム１は、図１に示すように、情報処理装置１００と、複数の顕微鏡装置（顕微鏡装置２００ａ、２００ｂ、２００ｃ、２００Ａ、２００Ｂ、２００Ｃ、・・・）を含んでいる。システム１は、さらに、１つ以上の管理端末（管理端末３００ａ、３００ｂ）を含んでいることが望ましい。
【００２３】
なお、本明細書では、顕微鏡装置は、複数の顕微鏡装置のうちの特定の顕微鏡装置に限らない場合には、顕微鏡装置２００と記す。同様に、管理端末は、１つ以上の管理端末のうちの特定の管理端末に限らない場合には、管理端末３００と記す。
【００２４】
複数の顕微鏡装置２００の各々と情報処理装置１００とは、互いにネットワーク経由で接続されている。複数の顕微鏡装置２００は、複数の拠点（拠点ＢＳ１、ＢＳ２、・・・）に分けて配置されてもよい。図１では、複数の顕微鏡装置２００が複数の拠点に配置された例が示されている。ただし、複数の顕微鏡装置２００のすべてが単一の拠点に配置されてもよい。また、図１では、情報処理装置１００は、データセンターなどに配置されたクラウドサーバである例が示されている。ただし、情報処理装置１００は、顕微鏡装置２００とネットワーク経由で通信可能であれば良いため、顕微鏡装置２００が配置されている拠点内に配置されても良い。  
【００２５】
１つ以上の管理端末３００は、単一の拠点に配置されてもよく、複数の拠点に配置されても良い。１つ以上の管理端末３００は、図２に示すように、ノート型コンピュータである管理端末３００ａ、タブレット型コンピュータである管理端末３００ｂ、などのモバイル端末を含んでもよい。このため、１つ以上の管理端末３００は、例えば、企業の本社、工場などの特定の拠点に限らず、任意のロケーションにおいて利用可能である。
【００２６】
顕微鏡装置２００は、複数の検鏡法で使用される顕微鏡装置であり、また、ネットワークに接続された顕微鏡装置である。顕微鏡装置２００は、図３に示すように、顕微鏡本体１０と、顕微鏡コントローラ２０と、コンピュータ３０と、通信装置４０と、を備えている。顕微鏡装置２００は、さらに、表示装置５０と、入力装置６０を備えていることが望ましい。顕微鏡装置２００は、顕微鏡コントローラ２０がコンピュータ３０からの命令に従って顕微鏡本体１０の駆動を制御することで、顕微鏡画像を取得する。図３では、顕微鏡本体１０と顕微鏡コントローラ２０が有線ケーブルで接続されている例を示したが、顕微鏡本体１０と顕微鏡コントローラ２０は、一体に構成されてもよく、単一の装置であってもよい。
【００２７】
顕微鏡本体１０は、図４に示すように、光源１１と、開口絞り１２と、ミラースライダ１３と、ポジションセンサ１３ｓと、レボルバ１４と、ポジションセンサ１４ｓと、複数の対物レンズ（対物レンズ１５ａ、１５ｂ、・・・）と、サンプル１７を配置するためのステージ１６と、接眼レンズ１８と、撮像装置１９を備えている。
【００２８】
光源１１は、例えば、水銀ランプやキセノンランプなどのランプ光源である。光源１１は、ＬＥＤ光源であってもよい。また、顕微鏡装置２００が走査型顕微鏡である場合、光源１１はレーザ光源であってもよい。光源１１は、顕微鏡装置２００の光路上に配置された電動ユニットの一つであり、顕微鏡コントローラ２０によって発光が制御される。
【００２９】
開口絞り１２は、顕微鏡装置２００の光路上に配置された電動ユニットの一つであり、開口絞り１２の開口径を変更するためのモータ１２ｍを備えている。顕微鏡コントローラ２０によって開口絞り１２の開口径が制御される。
【００３０】
ミラースライダ１３は、光学素子を装着するための複数の装着位置を有する切替部である。ミラースライダ１３の装着位置に装着される光学素子は、ミラーユニットである。ミラースライダ１３は、複数のミラーユニットを装着することができる。ミラースライダ１３は、ミラースライダ１３に装着された複数のミラーユニットの中から選択したミラーユニットを顕微鏡装置２００の光路上に配置する。なお、ミラーユニットの切替は、電動で行われてもよく、手動で行われてもよい。図４では、ＢＦ用のミラーユニット１３ａが光路上に配置されている例が示されている。
【００３１】
ミラースライダ１３は、ミラースライダ１３の状態を検出するための１つ以上のポジションセンサ１３ｓを備えている。ポジションセンサ１３ｓは、例えば、ホール素子である。より詳細には、ミラースライダ１３は、図５に示すように、光学素子を装着するための複数の装着位置（装着位置１３ｐ１、１３ｐ２、１３ｐ３）と、複数のポジションセンサ（ポジションセンサ１３ｓ１、１３ｓ２、１３ｓ３）と、を備えている。
【００３２】
ミラースライダ１３の装着位置には、例えば、明視野検鏡法（以降、ＢＦと記す）で使用されるＢＦ用のミラーユニット１３ａ、暗視野検鏡法（以降、ＤＦと記す）で使用されるＤＦ用のミラーユニット１３ｂ、微分干渉検鏡法（以降、ＤＩＣと記す）で使用されるＤＩＣ用のミラーユニット１３ｃなどが装着される。複数のポジションセンサ１３ｓの検出結果は、顕微鏡コントローラ２０へ出力される。これにより、顕微鏡コントローラ２０及びコンピュータ３０は、ミラースライダ１３の状態を示す情報、つまり、どの装着位置が光路上に配置されているかを示す情報、さらに換言すると、どの検鏡法が使用可能な状態かを示す情報、を得ることができる。
【００３３】
レボルバ１４は、光学素子を装着するための複数の装着位置を有する切替部である。レボルバ１４の装着位置に装着される光学素子は、顕微鏡用の対物レンズである。レボルバ１４は、複数の対物レンズを装着することができる。レボルバ１４は、レボルバ１４に装着された複数の対物レンズの中から選択した対物レンズを顕微鏡装置２００の光路上に配置する。なお、対物レンズの切替は、電動で行われてもよく、手動で行われてもよい。図４では、対物レンズ１５ａが光路上に配置されている例が示されている。
【００３４】
レボルバ１４は、レボルバ１４の状態を検出するための１つ以上のポジションセンサ１４ｓを備えている。ポジションセンサ１４ｓは、例えば、ホール素子である。より詳細には、レボルバ１４は、図６に示すように、光学素子を装着するための複数の装着位置（装着位置１４ｐ１、１４ｐ２、１４ｐ３、１４ｐ４、１４ｐ５、１４ｐ６）と、複数のポジションセンサ（ポジションセンサ１４ｓ１、１４ｓ２、１４ｓ３、１４ｓ４、１４ｓ５、１４ｓ６）と、を備えている。
【００３５】
レボルバ１４の装着位置には、例えば、倍率が５倍の対物レンズ１５ａ、倍率が１０倍の対物レンズ１５ｂ、倍率が２０倍の対物レンズ、倍率が５０倍の対物レンズ、倍率が１００倍の対物レンズ、倍率が１５０倍の対物レンズなどが装着される。複数のポジションセンサ１４ｓの検出結果は、顕微鏡コントローラ２０へ出力される。これにより、顕微鏡コントローラ２０及びコンピュータ３０は、レボルバ１４の状態を示す情報、つまり、どの装着位置が光路上に配置されているかを示す情報、更に換言すると、何倍の対物レンズが使用可能な状態かを示す情報、を得ることができる。
【００３６】
ステージ１６は、光路上に配置された対物レンズの光軸方向と直交する方向に移動可能なＸＹステージであってもよい。ステージ１６は、対物レンズの光軸方向に移動可能なＺステージであってもよい。ステージ１６は、対物レンズの光軸回りに回転可能な回転ステージであってもよい。また、ステージ１６は、ＸＹステージ、Ｚステージ、回転ステージのいずれか１つでなく、これらのうちの２つ以上を含んでもよい。ステージ１６は、顕微鏡コントローラ２０の制御の下で動作する電動ステージあってもよい。
【００３７】
サンプル１７は、特に限定しない。サンプル１７は、生体から採取した検体であってもよく、電子部品などであってもよい。接眼レンズ１８は必ずしも必要ではなく、顕微鏡本体１０は、接眼レンズ１８と撮像装置１９の少なくともどちらか一方を有していればよい。
【００３８】
撮像装置１９は、例えば、ＣＣＤ（Charge Coupled Device）やＣＭＯＳ（Complementary Metal Oxide Semiconductor）などのイメージセンサを含むデジタルカメラである。撮像装置１９は、顕微鏡装置２００の光路上に配置されていて、自動露出制御を行う。撮像装置１９は、サンプル１７を撮像し、サンプル１７の画像である顕微鏡画像を生成することで、顕微鏡画像を取得する。顕微鏡画像は、撮像装置１９からコンピュータ３０へ出力される。
【００３９】
コンピュータ３０は、例えば、標準的なコンピュータである。コンピュータ３０は、図７に示すように、プロセッサ３１、メモリ３２、Ｉ／Ｏインタフェース３３、ストレージ３４、可搬記憶媒体３８が挿入される可搬記憶媒体駆動装置３５、ＮＷインタフェース３６を備える。これらの構成要素はバス３７によって相互に接続されている。
【００４０】
プロセッサ３１は、例えば、ＣＰＵ（Central Processing Unit）であり、プログラムを実行してプログラムされた処理を行う。プロセッサ３１は、顕微鏡装置２００の制御部である。メモリ３２は、例えば、ＲＡＭ（Random Access Memory）であり、プログラムの実行の際に、ストレージ３４または可搬記憶媒体３８に記憶されているプログラムまたはデータを記憶する。
【００４１】
Ｉ／Ｏインタフェース３３は、例えば、ＵＳＢ（Universal Serial Bus）インタフェース回路などである。Ｉ／Ｏインタフェース３３には、後述する通信装置４０、表示装置５０、入力装置６０が接続されている。ストレージ３４は、例えば、ハードディスク、フラッシュメモリであり、主に各種データやプログラムの記憶に用いられる。
【００４２】
可搬記憶媒体駆動装置３５は、光ディスクやコンパクトフラッシュ（登録商標）等の可搬記憶媒体３８を収容するものである。可搬記憶媒体３８は、ストレージ３４を補助する役割を有する。メモリ３２、ストレージ３４、及び、可搬記憶媒体３８は、それぞれプログラムを記憶した非一過性のコンピュータ読取可能記憶媒体の一例である。ＮＷインタフェース３６は、例えば、ＬＡＮ（Local Area Network）カードなどである。
【００４３】
図７に示す構成は、コンピュータ３０のハードウェア構成の一例であり、コンピュータ３０はこの構成に限定されるものではない。コンピュータ３０は、汎用装置ではなく専用装置であってもよい。
【００４４】
通信装置４０は、例えば、ＬＴＥ（Long Term Evolution）対応のＵＳＢドングルである。通信装置４０は、ネットワーク経由で情報処理装置１００と通信する通信部である。
【００４５】
表示装置５０は、例えば、液晶ディスプレイ、有機ＥＬ（OLED）ディスプレイ、ＣＲＴ（Cathode Ray Tube）ディスプレイなどである。表示装置５０は、撮像装置１９で取得した顕微鏡画像を表示する。
【００４６】
入力装置６０は、顕微鏡装置２００の利用者が直接操作する装置であり、顕微鏡装置２００の利用者の操作を受け付ける受付部である。入力装置６０は、例えば、キーボード、マウス、ジョイスティック、タッチパネルなどである。
【００４７】
情報処理装置１００は、複数の検鏡法で使用される複数の顕微鏡装置２００とネットワーク経由で通信する情報処理装置である。情報処理装置１００は、例えば、標準的なコンピュータである。情報処理装置１００は、図８に示すように、プロセッサ１０１、メモリ１０２、Ｉ／Ｏインタフェース１０３、ストレージ１０４、可搬記憶媒体１０８が挿入される可搬記憶媒体駆動装置１０５、ＮＷインタフェース１０６を備える。これらの構成要素はバス１０７によって相互に接続されている。
【００４８】
プロセッサ１０１は、例えば、ＣＰＵであり、プログラムを実行してプログラムされた処理を行う。プロセッサ１０１は、情報処理装置１００の制御部である。メモリ１０２は、例えば、ＲＡＭであり、プログラムの実行の際に、ストレージ１０４または可搬記憶媒体１０８に記憶されているプログラムまたはデータを記憶する。
【００４９】
Ｉ／Ｏインタフェース１０３は、例えば、ＵＳＢインタフェース回路などである。Ｉ／Ｏインタフェース１０３には、図示しない表示装置、入力装置が接続されている。ストレージ１０４は、例えば、ハードディスク、フラッシュメモリであり、主に各種データやプログラムの記憶に用いられる。ストレージ１０４は、後述するマスタ設定情報を格納する格納部である。
【００５０】
可搬記憶媒体駆動装置１０５は、光ディスクやコンパクトフラッシュ（登録商標）等の可搬記憶媒体１０８を収容するものである。可搬記憶媒体１０８は、ストレージ１０４を補助する役割を有する。メモリ１０２、ストレージ１０４、及び、可搬記憶媒体１０８は、それぞれプログラムを記憶した非一過性のコンピュータ読取可能記憶媒体の一例である。
【００５１】
ＮＷインタフェース１０６は、例えば、ＬＡＮカードなどである。ＮＷインタフェース１０６は、ネットワーク経由で複数の顕微鏡装置２００の各々と通信する通信部である。
【００５２】
図８に示す構成は、情報処理装置１００のハードウェア構成の一例であり、情報処理装置１００はこの構成に限定されるものではない。情報処理装置１００は、汎用装置ではなく専用装置であってもよい。
【００５３】
以上のように構成されたシステム１では、顕微鏡装置２００と情報処理装置１００が通信することで、様々な処理が行われる。まず、図９から図２５を参照しながら、複数の顕微鏡装置２００が一定水準の品質で検査を行うことを可能とするためにシステム１が最初に行う処理について説明する。
【００５４】
図９は、システム１が行う処理を例示したシーケンス図である。図１０は、マスタ設定情報を説明するための図である。図１１は、第１設定準備処理のフローチャートの一例である。図１２は、マスタ設定情報登録処理のフローチャートの一例である。図１３は、学習処理のフローチャートの一例である。図１４は、判定情報登録更新処理のフローチャートの一例である。図１５は、メイン画面を例示した図である。図１６及び図１７は、装着設定情報登録画面を例示した図である。図１８は、装着設定情報ファイルの一例を示した図である。図１９は、カスタマイズ設定情報登録画面を例示した図である。図２０は、カスタマイズ設定情報ファイルの一例を示した図である。図２１は、伝送ファイル設定画面を例示した図である。図２２は、メイン画面を例示した別の図である。図２３は、装置状態ファイルの一例を示した図である。図２４は、異常検知判定ファイルの一例を示した図である。図２５は、ログファイルの一例を示した図である。
【００５５】
システム１が行う図９に示す処理は、顕微鏡装置２００が行う第１設定準備処理（ステップＳ１００）と、情報処理装置１００が行うマスタ設定情報登録処理（ステップＳ２００）と、情報処理装置１００が複数回行う学習処理（ステップＳ３００）と、を含んでいる。また、顕微鏡装置２００と情報処理装置１００の間では、少なくとも、マスタ設定情報、及び、学習情報がやり取りされる。マスタ設定情報は、図１０に示すように、装着設定情報Ｍ１と、複数の検鏡法に対応する複数のカスタマイズ設定情報（カスタマイズ設定情報Ｍ２ａ、Ｍ２ｂ、Ｍ２ｃ、・・・）を含んでいる。マスタ設定情報、装着設定情報Ｍ１、カスタマイズ設定情報、学習情報の詳細については、後述する。
【００５６】
第１設定準備処理について説明する。システム１が図９に示す処理を開始すると、顕微鏡装置２００は、図１１に示す第１設定準備処理を行う（ステップＳ１００）。第１設定準備処理では、顕微鏡装置２００は、まず、自機設定情報を作成する（ステップＳ１１０）。
【００５７】
ステップＳ１１０では、コンピュータ３０のプロセッサ３１が所定のプログラムを実行することで、図１５に示す画面Ｇ１が表示装置５０に表示される。なお、画面Ｇ１は、メイン画面である。領域Ｒ１は、顕微鏡画像を表示する領域である。領域Ｒ２は、ステージ１６に配置されたサンプル１７を顕微鏡装置２００の利用者が選択するための領域である。領域Ｒ３は、領域Ｒ１に表示されている顕微鏡画像がライブ画像であるか静止画像であるかを示す領域である。領域Ｒ４は、切替部（レボルバ１４、ミラースライダ１３）の状態、及び、電動ユニット（光源１１、開口絞り１２）の状態を示す領域である。領域ＲＳは、顕微鏡装置２００の状態を表示する領域である。その他のボタン（ボタンＢ１）、及び、アイコン（アイコンＣ１、Ｃ２、Ｃ３、Ｃ４）については後述する。
【００５８】
ステップＳ１１０において利用者が入力装置６０を用いてアイコンＣ２を押下すると、図１６に示す画面Ｇ２ａが表示装置５０に表示される。ここで、画面Ｇ２ａは、装着設定情報登録画面である。領域Ｒ５は、１つ以上の切替部が選択可能にリストされた領域である。領域Ｒ６は、装着設定情報を入力するための領域である。装着設定情報とは、切替部が有する複数の装着位置とそれらの複数の装着位置の各々に装着すべき光学素子との対応関係を示す情報のことである。
【００５９】
領域Ｒ５において、２つの切替部（“レボルバ”と“ミラースライダ”）のうちの“レボルバ”が選択された状態の画面が図１６に示す画面Ｇ２ａであり、“ミラースライダ”が選択された状態の画面が図１７に示す画面Ｇ２ｂである。
【００６０】
利用者は、入力装置６０を用いて、画面Ｇ２ａの領域Ｒ６に、レボルバ１４の６つの装着位置に装着されている６つの対物レンズの倍率、及び、種類を入力する。そして、入力が終了し、利用者がＯＫボタンを押下すると、プロセッサ３１がレボルバ１４の装着設定情報を作成し、ストレージ３４に格納する。図１８に示すファイルＦ１ａは、プロセッサ３１が作成したレボルバ１４の装着設定情報の一例である。ファイルＦ１ａは、装着位置毎に異なる倍率の対物レンズが装着されていることを示している。
【００６１】
さらに、利用者は、入力装置６０を用いて、画面Ｇ２ｂの領域Ｒ６に、ミラースライダ１３の３つの装着位置に装着されている３つのミラーユニットの種類を入力する。そして、入力が終了し、利用者がＯＫボタンを押下すると、プロセッサ３１がミラースライダ１３の装着設定情報を作成し、ストレージ３４に格納する。図１８に示すファイルＦ１ｂは、プロセッサ３１が作成したミラースライダ１３の装着設定情報の一例である。ファイルＦ１ｂは、装着位置毎に異なる検鏡法に対応したミラーユニットが装着されていることを示している。
【００６２】
ステップＳ１１０において利用者が入力装置６０を用いてアイコンＣ３を押下すると、図１９に示す画面Ｇ３が表示装置５０に表示される。ここで、画面Ｇ３は、カスタマイズ設定情報登録画面である。領域Ｒ７は、ミラースライダ１３に装着されているミラーユニットから任意のミラーユニットを選択するための領域であり、実質的には検鏡法を選択するための領域である。領域Ｒ８は、領域Ｒ７で選択された検鏡法に対応するカスタマイズ設定情報を入力するための領域である。カスタマイズ設定情報とは、電動ユニットの設定を示す情報のことである。
【００６３】
利用者は、入力装置６０を用いて、画面Ｇ３の領域Ｒ８に、領域Ｒ７で選択された検鏡法に対応する電動ユニットの設定情報を入力する。具体的には、光源１１の出射光量についての設定情報を、０から２５５の間で、レボルバ１４に装着されている対物レンズ毎に入力する。また、開口絞り１２の開口径（ＡＳ位置）についての設定情報を、０から１００の間で、レボルバ１４に装着されている対物レンズ毎に入力する。なお、この入力は、領域Ｒ７で選択可能なすべての検鏡法に対してそれぞれ行われる。そして、全ての入力が終了し、利用者がＯＫボタンを押下すると、プロセッサ３１が複数の検鏡法に対応する複数のカスタマイズ設定情報を作成し、ストレージ３４に格納する。図２０に示すファイルＦ２ａは、プロセッサ３１が作成したＢＦに対応するカスタマイズ設定情報の一例である。ファイルＦ２ｂは、プロセッサ３１が作成したＤＦに対応するカスタマイズ設定情報の一例である。ファイルＦ２ｃは、プロセッサ３１が作成したＤＩＣに対応するカスタマイズ設定情報の一例である。ファイルＦ２ａ、２ｂ、２ｃは、ＤＦ、ＤＩＣ、ＢＦの順にサンプル１７へ照射される照明光量が大きくなるように電動ユニットの設定が変更されることを示している。
【００６４】
このように、ステップＳ１１０では、入力装置６０が受け付けた操作に基づいて、プロセッサ３１が自機設定情報を作成し、ストレージ３４に格納する。なお、自機設定情報は、装着設定情報と、複数の検鏡法に対応する複数のカスタマイズ設定情報を含んでいる。
自機設定情報の作成が終了すると、顕微鏡装置２００は、次に、自機設定情報をマスタ設定情報として情報処理装置１００へ送信する（ステップＳ１２０）。
【００６５】
ステップＳ１２０では、利用者が入力装置６０を用いてメイン画面のアイコンＣ４を押下すると、図２１に示す画面Ｇ４が表示装置５０に表示される。ここで、画面Ｇ４は、伝送ファイル設定画面である。領域Ｒ９ａ及び領域Ｒ９ｂは、顕微鏡装置２００から情報処理装置１００へアップロードするファイルを指定するための領域である。領域９ａで指定されたファイルは、ボタンＢ３が押下されたときにアップロードされる。これに対して領域９ｂで指定されたファイルは、定期的にアップロードされる。領域Ｒ１０は、情報処理装置１００から顕微鏡装置２００へダウンロードするファイルを指定するための領域である。領域Ｒ１０で指定されたファイルは、ボタンＢ４が押下されたときにダウンロードされる。なお、領域Ｒ９ｂに記載されている装置状態ファイル及びログファイルについては後述する。
【００６６】
利用者は、入力装置６０を用いて、画面Ｇ４の領域Ｒ９ａにおいて装着設定ファイルとカスタマイズ設定ファイルをアップロード対象として指定する。そして、その後、利用者がボタンＢ３を押下すると、通信装置４０が、ステップＳ１１０においてプロセッサ３１が作成した自機設定情報を、マスタ設定情報として情報処理装置１００へ送信する。
【００６７】
なお、マスタ設定情報とは、システム１において基準となる設定情報のことである。システム１では、マスタ設定情報が複数の顕微鏡装置２００で共有されることで、複数の顕微鏡装置２００が一定水準の品質で検査を行うことが可能となる。
マスタ設定情報を送信すると、顕微鏡装置２００は、学習情報を情報処理装置１００へ送信し（ステップＳ１３０）、第１設定準備処理を終了する。
【００６８】
ステップＳ１３０では、利用者は、図２２に示す画面Ｇ１ａの領域Ｒ１に表示される顕微鏡画像を確認し、表示されている顕微鏡画像が良好であれば入力装置６０を用いてボタンＢ１を押下する。利用者は、この作業を、切替部の状態とサンプル１７とを様々に変更しながら、繰り返し行う。なお、画面Ｇ１ａは、装着設定情報が作成された後のメイン画面である。画面Ｇ１ａは、領域Ｒ４内において、レボルバ１４の状態が対物レンズの倍率で示されている点、及び、ミラースライダ１３の状態が検鏡法で示されている点が、画面Ｇ１とは異なる。
【００６９】
顕微鏡装置２００では、切替部の状態が変更されると、ポジションセンサ１３ｓ及びポジションセンサ１４ｓからの出力により、プロセッサ３１は、変更後の切替部の状態を検知する。そして、プロセッサ３１は、使用する検鏡法に対応するカスタマイズ設定情報に応じて、電動ユニットの設定を変更する。さらに、プロセッサ３１は、入力装置６０が受け付けた操作に基づいて、顕微鏡画像の良否を判定する。具体的には、ボタンＢ１が押下されると、プロセッサ３１は、表示装置５０に表示された顕微鏡画像が良好であると判定し、通信装置４０は、その時点における顕微鏡装置２００の装置状態ファイルを学習情報として情報処理装置１００へ送信する。
【００７０】
なお、装置状態ファイルは、顕微鏡装置２００の状態を示すファイルである。図２３に示すファイルＦ３は、装置状態ファイルの一例である。学習情報として送信される装置状態ファイルには、少なくとも、撮像装置１９が撮像したサンプルを特定するためのサンプル情報（ファイルＦ３ではサンプル：Ａ）、撮像装置１９の露出時間を示す情報（ファイルＦ３では露出時間：２０）、及び、切替部の状態を示す情報（ファイルＦ３ではレボルバ位置：３、ミラースライダ位置：１）を含んでいる。
【００７１】
マスタ設定情報登録処理について説明する。システム１が図９に示す処理を開始し、顕微鏡装置２００がマスタ設定情報を送信すると、情報処理装置１００は、図１２に示すマスタ設定情報登録処理を行う（ステップＳ２００）。
【００７２】
マスタ設定情報登録処理では、情報処理装置１００は、まず、マスタ設定情報を受信する（ステップＳ２１０）。具体的には、ＮＷインタフェース１０６が複数の検鏡法に対応する複数のカスタマイズ設定情報を含むマスタ設定情報を顕微鏡装置２００から受信する。
【００７３】
その後、情報処理装置１００は、マスタ設定情報を格納し（ステップＳ２２０）、マスタ設定情報登録処理を終了する。具体的には、ストレージ１０４が、ＮＷインタフェース１０６が受信したマスタ設定情報を格納する。即ち、情報処理装置１００では、ストレージ１０４は、マスタ設定情報を格納する格納部である。
【００７４】
学習処理について説明する。システム１が図９に示す処理を開始し、顕微鏡装置２００が学習情報を送信すると、情報処理装置１００は、図１３に示す学習処理を行う（ステップＳ３００）。
【００７５】
学習処理では、情報処理装置１００は、まず、学習情報を受信する（ステップＳ３１０）。具体的には、ＮＷインタフェース１０６が、少なくとも、撮像装置１９が撮像したサンプルを特定するためのサンプル情報、撮像装置１９の露出時間を示す情報、及び、切替部の状態を示す情報を含む学習情報を顕微鏡装置２００から受信する。
【００７６】
その後、情報処理装置１００は、学習情報に基づいて、顕微鏡装置の状態が正常状態か異常状態かを判定するための判定情報を登録又は更新し（ステップＳ３２０）、学習処理を終了する。具体的には、プロセッサ１０１が、学習情報に基づいて、図１４に示す判定情報登録更新処理を行うことで、判定情報を登録又は更新する。
【００７７】
判定情報登録更新処理では、プロセッサ１０１は、まず、ステップＳ３１０で受信した学習情報から、サンプル情報、露出時間の情報、及び、切替部の状態情報を取得する（ステップＳ３２１）。そして、プロセッサ１０１は、ステップＳ３２１で取得したサンプル情報と状態情報との組み合わせに対応する許容露出時間範囲を、異常検知判定ファイルから読み出す（ステップＳ３２２）。異常検知判定ファイルは、判定情報を含むファイルであり、ストレージ１０４に格納されている。
【００７８】
対応する許容露出時間範囲が異常検知判定ファイルに含まれていない場合には（ステップＳ３２３ＹＥＳ）、プロセッサ１０１は、ステップＳ３２１で取得した露出時間情報が示す露出時間を用いて、以下の情報を異常検知判定ファイルに登録し（ステップＳ３２４）、判定情報登録更新処理を終了する。
許容露出時間範囲のＭＡＸ値＝露出時間
許容露出時間範囲のＭＩＮ値＝露出時間
【００７９】
対応する許容露出時間範囲が異常検知判定ファイルに含まれているが、ステップＳ３２１で取得した露出時間情報が示す露出時間が許容露出時間範囲のＭＩＮ値未満の場合には（ステップＳ３２５ＹＥＳ）、プロセッサ１０１は、その露出時間を用いて、以下のように異常検知判定ファイルを更新し（ステップＳ３２６）、判定情報登録更新処理を終了する。
許容露出時間範囲のＭＩＮ値＝露出時間
【００８０】
対応する許容露出時間範囲が異常検知判定ファイルに含まれているが、ステップＳ３２１で取得した露出時間情報が示す露出時間が許容露出時間範囲のＭＡＸ値を上回る場合には（ステップＳ３２７ＹＥＳ）、プロセッサ１０１は、その露出時間を用いて、以下のように異常検知判定ファイルを更新し（ステップＳ３２８）、判定情報登録更新処理を終了する。
許容露出時間範囲のＭＡＸ値＝露出時間
【００８１】
対応する許容露出時間範囲が異常検知判定ファイルに含まれていて、ステップＳ３２１で取得した露出時間情報が示す露出時間が許容露出時間範囲内であれば、プロセッサ１０１は、異常検知ファイルを更新せずに、判定情報登録更新処理を終了する。
【００８２】
図２４に示すファイルＦ４ａからファイルＦ４ｆは、異常検知判定ファイルの例である。なお、図２４では、サンプルの種類とミラーユニットとの組み合わせ毎に、異常検知判定ファイルが作成されている例が示されているが、異常検知判定ファイルの作成単位は特に限定しない。
【００８３】
以上のように、システム１では、図９に示す処理を行うことで、複数の顕微鏡装置２００とネットワーク経由で接続された情報処理装置１００に、マスタ設定情報と判定情報を登録することができる。これにより、複数の顕微鏡装置２００で使用する設定情報を一元的に管理することができる。また、図９に示す処理において情報処理装置１００が学習処理を繰り返し行うことで許容露出時間範囲が適正化されるため、判定情報をより適切な判定情報へ更新することができる。
【００８４】
以上では、メイン画面のボタンＢ１が押下されたときに、顕微鏡装置２００が情報処理装置１００へ学習情報を送信し、学習情報を受信したときに、情報処理装置１００が学習処理を行う例を説明した。しかしながら、図２１に示す伝送ファイル設定画面で装置状態ファイルとログファイルが定期的にアップロードされるように指定されている場合には、情報処理装置１００は、ログファイルからボタンＢ１の押下した時刻を特定し、その時刻における装置状態ファイルを学習情報として学習処理を行ってもよい。図２５に示すファイルＦ５は、ログファイルの一例である。図２５は、時刻2017/7/17,12:14:40に、顕微鏡装置２００においてボタンＢ１が押下されたことを示している。
【００８５】
次に、図２６から図２８を参照しながら、複数の顕微鏡装置２００が一定水準の品質で検査を行うことを可能とするためにシステム１が行う別の処理について説明する。なお、図２６に示す処理は、情報処理装置１００に少なくともマスタ設定情報が登録された後に行われる。
【００８６】
図２６は、システム１が行う別の処理を例示したシーケンス図である。図２７は、第２設定準備処理のフローチャートの一例である。図２８は、マスタ設定情報送信処理のフローチャートの一例である。
【００８７】
システム１が行う図２６に示す処理は、顕微鏡装置２００が行う第２設定準備処理（ステップＳ４００）と、情報処理装置１００が行うマスタ設定情報送信処理（ステップＳ５００）と、を含んでいる。また、顕微鏡装置２００と情報処理装置１００の間では、少なくとも、設定情報要求、及び、マスタ設定情報がやり取りされる。なお、図２６の処理は、図９に示す処理が行われた顕微鏡装置２００を除く複数の顕微鏡装置２００の各々と、情報処理装置１００と、の間でそれぞれ行われることが望ましい。
【００８８】
第２設定準備処理について説明する。システム１が図２６に示す処理を開始すると、顕微鏡装置２００は、図２７に示す第２設定準備処理を行う（ステップＳ４００）。第２設定準備処理では、顕微鏡装置２００は、まず、設定情報要求を情報処理装置１００へ送信することで、マスタ設定情報の送信を情報処理装置１００に要求する（ステップＳ４１０）。
【００８９】
ステップＳ４１０では、利用者が入力装置６０を用いてメイン画面のアイコンＣ４を押下すると、図２１に示す画面Ｇ４が表示装置５０に表示される。利用者は、入力装置６０を用いて、画面Ｇ４の領域Ｒ１０において装着設定ファイルとカスタマイズ設定ファイルをダウンロード対象として指定する。そして、その後、利用者がボタンＢ４を押下すると、通信装置４０が、設定情報要求を情報処理装置１００へ送信する。
【００９０】
次に、顕微鏡装置２００は、情報処理装置１００からマスタ設定情報を受信する（ステップＳ４２０）。具体的には、通信装置４０が複数の検鏡法に対応する複数のカスタマイズ設定情報を含むマスタ設定情報を情報処理装置１００から受信する。
【００９１】
最後に、顕微鏡装置２００は、自機設定情報を登録し（ステップＳ４３０）、第２設定準備処理を終了する。具体的には、プロセッサ３１が、通信装置４０が受信したマスタ設定情報に従って、顕微鏡装置２００の自機設定情報を登録する。より具体的には、マスタ設定情報と同じ内容の自機設定情報を含むファイルを、ストレージ３４に作成する。なお、すでに自機設定情報を含むファイルが作成されている場合には、そのファイルの内容をステップＳ４２０で受信したマスタ設定情報に更新する。
【００９２】
マスタ設定情報送信処理について説明する。システム１が図２６に示す処理を開始し、顕微鏡装置２００が設定情報要求を送信すると、情報処理装置１００は、図２８に示すマスタ設定情報送信処理を行う（ステップＳ５００）。
【００９３】
マスタ設定情報送信処理では、情報処理装置１００は、まず、設定情報要求を受信する（ステップＳ５１０）。具体的には、ＮＷインタフェース１０６が設定情報要求を受信する。
【００９４】
その後、情報処理装置１００は、マスタ設定情報を読み出して（ステップＳ５２０）、顕微鏡装置２００へマスタ設定情報を送信し（ステップＳ５３０）、マスタ設定情報送信処理を終了する。具体的には、ＮＷインタフェース１０６が、設定情報要求に応じて、その要求の送信元である顕微鏡装置２００へマスタ設定情報を送信する。
【００９５】
以上のように、システム１では、図２６に示す処理が行われることで、情報処理装置１００から受信したマスタ設定情報が自機設定情報として顕微鏡装置２００に登録される。このため、顕微鏡装置２００に人手で自機設定情報を入力する必要がなく、正しい設定情報を容易に登録することができる。この利点は、システム１に含まれる顕微鏡装置２００の台数が多い場合、複数の顕微鏡装置２００が複数の拠点には配置されている場合などに、特に効果的である。また、複数の顕微鏡装置２００の各々と情報処理装置１００との間で図２６の処理がそれぞれ行われることで、複数の顕微鏡装置２００に同じ設定情報が登録される。このため、複数の顕微鏡装置２００が一定水準の品質で検査を行うことを可能となる。
【００９６】
次に、図２９から図３３を参照しながら、複数の顕微鏡装置２００が一定水準の品質で検査を行うことを可能とするためにシステム１が行う更に別の処理について説明する。なお、図２９に示す処理は、図９及び図２６の処理の後に行われる。
【００９７】
図２９は、システム１が行う更に別の処理を例示したシーケンス図である。図３０は、対物レンズ装着確認処理のフローチャートの一例である。図３１は、判定結果送信処理のフローチャートの一例である。図３２は、ミラーユニット装着確認処理のフローチャートの一例である。図３３は、装着確認画面を例示した図である。
【００９８】
システム１が行う図２９に示す処理は、顕微鏡装置２００が行う装着確認処理（ステップＳ６００）と、情報処理装置１００が複数回行う判定結果送信処理（ステップＳ７００）と、を含んでいる。また、顕微鏡装置２００と情報処理装置１００の間では、少なくとも、判定要求、及び、判定結果がやり取りされる。なお、図２９の処理は、図９に示す処理が行われた顕微鏡装置２００を除く複数の顕微鏡装置２００の各々と、情報処理装置１００と、の間でそれぞれ行われることが望ましい。
【００９９】
装着確認処理について説明する。システム１が図２９に示す処理を開始すると、顕微鏡装置２００は、図３０に示す対物レンズ装着確認処理、及び、図３２に示すミラーユニット装着確認処理を行う（ステップＳ６００）。
【０１００】
まず、対物レンズ装着確認処理について説明する。対物レンズ装着確認処理では、顕微鏡装置２００は、ＢＦ用のミラーユニット１３ａを光路上に配置する（ステップＳ６１１）。なお、ミラースライダ１３が電動スライダではなく手動で操作されるものである場合には、表示装置５０にＢＦ用のミラーユニット１３ａを光路上に配置することを促すメッセージを表示する。これにより、利用者がミラースライダ１３を操作して、ＢＦ用のミラーユニット１３ａを光路上に配置する。ステップＳ６１１で、ＢＦ用のミラーユニット１３ａを配置した理由は、対物レンズの違いによる露出時間の変化が、他のミラーユニットを配置した場合によりも大きく生じるためである。
【０１０１】
さらに、顕微鏡装置２００は、１つ目の対物レンズを光路上に配置する（ステップＳ６１２）。なお、レボルバ１４が電動レボルバではなく手動で操作されるものである場合には、表示装置５０に１つ目の対物レンズを光路上に配置することを促すメッセージを表示する。これにより、利用者がレボルバ１４を操作して、１つ目の対物レンズを光路上に配置する。
【０１０２】
次に、顕微鏡装置２００は、電動ユニットの設定を変更する（ステップＳ６１３）。具体的には、プロセッサ３１が、ポジションセンサ１３ｓ及びポジションセンサ１４ｓからの出力により切替部（ミラースライダ１３、レボルバ１４）の状態を検知し、使用する検鏡法に対応するカスタマイズ設定情報に応じて、電動ユニットの設定を変更する。
【０１０３】
顕微鏡装置２００は、判定要求を送信する（ステップＳ６１４）。ステップＳ６１４では、利用者が入力装置６０を用いてメイン画面のアイコンＣ１を押下すると、図３３に示す画面Ｇ５が表示装置５０に表示される。ここで、画面Ｇ５は、装着確認画面である。領域Ｒ１１は、ステージ１６に配置されているサンプル１７を選択するための領域である。その後、利用者が入力装置６０を用いて領域Ｒ１１でサンプル１７を選択する。そして、利用者がボタンＢ５を押下すると、通信装置４０は、その時点における顕微鏡装置２００の装置状態ファイルを含む判定要求を情報処理装置１００へ送信する。
【０１０４】
なお、判定要求は、必ずしも装置状態ファイルに含まれる全ての情報を含む必要はない。判定要求は、少なくとも、サンプル情報、露出時間を示す情報、及び、切替部の状態を示す情報、を含んでいればよい。
【０１０５】
その後、顕微鏡装置２００は、判定結果を受信し（ステップＳ６１５）、顕微鏡装置２００が正常か否かを判定する（ステップＳ６１６）。具体的には、通信装置４０が、判定要求に対する応答である判定結果を情報処理装置１００から受信し、プロセッサ３１が、判定結果に基づいて正常状態か否かを判定する。なお、判定結果は、顕微鏡装置２００の状態が正常状態か異常状態かを示す情報である。
【０１０６】
顕微鏡装置２００は、顕微鏡装置２００が異常状態にあると判定すると（ステップＳ６１６ＮＯ）、顕微鏡装置２００の異常を報知し（ステップＳ６１７）、対物レンズ装着確認処理を終了する。つまり、プロセッサ３１は、判定要求に対する情報処理装置１００からの応答に基づいて異常を検知すると、顕微鏡装置２００の異常を利用者へ報知する。
【０１０７】
なお、報知方法は特に限定しない。プロセッサ３１は、表示装置５０に異常を通知するメッセージ等を表示してもよい。また、プロセッサ３１は、音、振動などを用いて、利用者へ異常を報知してもよい。
【０１０８】
顕微鏡装置２００は、顕微鏡装置２００が正常状態にあると判定すると（ステップＳ６１６ＹＥＳ）、レボルバ１４に装着されている全ての対物レンズについて確認済みか否かを判定する（ステップＳ６１８）。顕微鏡装置２００は、全ての対物レンズについて確認済みではないと判定すると、次の対物レンズを光路上に配置して（ステップＳ６１９）、再びステップＳ６１３からステップＳ６１８の処理を行う。そして、顕微鏡装置２００は、全ての対物レンズについて確認済みであると判定すると、対物レンズ装着確認処理を終了する。
【０１０９】
判定結果送信処理について説明する。システム１が図２９に示す処理を開始し、顕微鏡装置２００が判定要求を送信すると、情報処理装置１００は、図３１に示す判定結果送信処理を行う（ステップＳ７００）。
【０１１０】
判定結果送信処理では、情報処理装置１００は、まず、判定要求を受信する（ステップＳ７１０）。具体的には、ＮＷインタフェース１０６が、少なくとも、撮像装置１９が撮像したサンプルを特定するためのサンプル情報、撮像装置１９の露出時間情報、及び、切替部の状態情報を含む判定要求を、顕微鏡装置２００から受信する。
【０１１１】
その後、情報処理装置１００は、判定要求から、サンプル情報、露出時間情報、切替部の状態情報を取得する（ステップＳ７２０）。さらに、情報処理装置１００は、ステップＳ７２０で取得したサンプル情報と状態情報の組み合わせに対応する許容露出時間範囲を、判定情報を含む異常検知判定ファイルから取得する（ステップＳ７３０）。
【０１１２】
その後、情報処理装置１００は、ステップＳ７２０で取得した露出時間情報が示す露出時間がステップＳ７３０で取得した許容露出時間範囲内か否かを判定する（ステップＳ７４０、ステップＳ７６０）。
【０１１３】
許容露出時間範囲内でない場合には、情報処理装置１００は、異常状態を示す判定結果を作成し（ステップＳ７５０）、作成した判定結果を判定要求の送信元の顕微鏡装置２００へ送信して（ステップＳ７８０）、判定結果送信処理を終了する。一方、許容露出時間範囲内である場合には、情報処理装置１００は、正常状態を示す判定結果を作成し（ステップＳ７７０）、作成した判定結果を判定要求の送信元の顕微鏡装置２００へ送信して（ステップＳ７８０）、判定結果送信処理を終了する。
【０１１４】
即ち、プロセッサ１０１は、判定要求と判定情報に基づいて、判定要求の送信元である顕微鏡装置２００の状態が正常状態か異常状態かを示す判定結果を作成する。また、ＮＷインタフェース１０６は、判定要求に応じて、判定要求の送信元である顕微鏡装置２００へ、作成した判定結果を送信する。
【０１１５】
次に、ミラーユニット装着確認処理について説明する。ミラーユニット装着確認処理では、顕微鏡装置２００は、最低倍の対物レンズを光路上に配置する（ステップＳ６２１）。なお、レボルバ１４が電動レボルバではなく手動で操作されるものである場合には、表示装置５０に最低倍の対物レンズを光路上に配置することを促すメッセージを表示する。これにより、利用者がレボルバ１４を操作して、最低倍の対物レンズを光路上に配置する。
【０１１６】
さらに、顕微鏡装置２００は、１つ目のミラーユニットを光路上に配置する（ステップＳ６２２）。なお、ミラースライダ１３が電動スライダではなく手動で操作されるものである場合には、表示装置５０に１つ目のミラーユニットを光路上に配置することを促すメッセージを表示する。これにより、利用者がミラースライダ１３を操作して、１つ目のミラーユニットを光路上に配置する。
【０１１７】
その後、顕微鏡装置２００は、電動ユニットの設定を変更し（ステップＳ６２３）、判定要求を送信し（ステップＳ６２４）、判定結果を受信し（ステップＳ６２５）、顕微鏡装置２００が正常か否かを判定する（ステップＳ６２６）。なお、これらの処理は、図３０に示すステップＳ６１３からステップＳ６１６の処理と同様である。ただし、ステップＳ６２４では、利用者は、画面Ｇ５において、ボタンＢ６を押下する。
【０１１８】
顕微鏡装置２００は、顕微鏡装置２００が異常状態にあると判定すると（ステップＳ６２６ＮＯ）、顕微鏡装置２００の異常を報知し（ステップＳ６２７）、ミラーユニット装着確認処理を終了する。なお、ステップＳ６２７の処理は、図３０に示すステップＳ６１７の処理と同様である。
【０１１９】
顕微鏡装置２００は、顕微鏡装置２００が正常状態にあると判定すると（ステップＳ６２６ＹＥＳ）、全てのミラーユニットについて確認済みか否かを判定する（ステップＳ６２８）。顕微鏡装置２００は、全てのミラーユニットについて確認済みではないと判定すると、次のミラーユニットを光路上に配置して（ステップＳ６２９）、再びステップＳ６２３からステップＳ６２８の処理を行う。そして、顕微鏡装置２００は、全てのミラーユニットについて確認済みであると判定すると、ミラーユニット装着確認処理を終了する。
【０１２０】
以上のように、システム１では、図２９に示す処理が行われることで、切替部の複数の装着位置に正しい光学素子が装着されているか否かを確認することができる。つまり、自機設定情報に含まれる装着設定情報どおりに、光学素子が実際に装着されていることを確認することができる。ここでは、装着されている光学素子が異なると、自動露出制御が行われている撮像装置１９の露出時間も異なることを利用している。
【０１２１】
次に、図３４及び図３６を参照しながら、複数の顕微鏡装置２００が一定水準の品質で検査を行うことを可能とするためにシステム１が行う更に別の処理について説明する。なお、図３４に示す処理は、図２９に示す処理と同様に、図９及び図２６の処理の後に行われる。
【０１２２】
図３４は、システム１が行う更に別の処理を例示したシーケンス図である。図３５は、異常判定処理のフローチャートの一例である。図３６は、メイン画面を例示した図である。
【０１２３】
システム１が行う図３４に示す処理は、図２１に示す伝送ファイル設定画面で装置状態ファイルとログファイルが定期的にアップロードされるように指定されている顕微鏡装置２００と、情報処理装置１００との間で行われる。図３４に示す処理は、具体的には、顕微鏡装置２００が行う異常判定処理（ステップＳ８００）と、情報処理装置１００が行う判定結果送信処理（ステップＳ７００）と、を含んでいる。
【０１２４】
図３４に示す処理に含まれる判定結果送信処理は、図２９に示す処理に含まれる判定結果送信処理と同じものである。また、顕微鏡装置２００と情報処理装置１００の間では、少なくとも、判定要求、及び、判定結果がやり取りされる。図３４の処理は、複数の顕微鏡装置２００の各々と情報処理装置１００との間で、それぞれ行われることが望ましい。
【０１２５】
判定要求処理について説明する。システム１が図３４に示す処理を開始すると、顕微鏡装置２００は、図３５に示す異常判定処理を行う（ステップＳ８００）。
【０１２６】
異常判定要求処理では、顕微鏡装置２００は、まず、判定要求を送信する（ステップＳ８１０）。この処理は、装置状態ファイルを含む判定要求が情報処理装置１００へ定期的に送信される点を除き、図３０のステップＳ６１４と同様である。
【０１２７】
その後、顕微鏡装置２００は、判定結果を受信する（ステップＳ８２０）。この処理は、図３０のステップＳ６１５と同様である。
【０１２８】
最後に、顕微鏡装置２００は、ステータス表示を更新し（ステップＳ８３０）、判定要求処理を終了する。具体的には、プロセッサ３１が、ステップＳ８２０で受信した判定結果に基づいて顕微鏡装置２００の状態を判定する。そして、正常状態であると判定したときには、プロセッサ３１は、図３６の画面Ｇ１ｂに示すように、メイン画面の領域ＲＳに“Status:正常”と表示する。一方、異常状態であると判定したときには、プロセッサ３１は、メイン画面の領域ＲＳに、 “Status:異常”と表示する。
【０１２９】
以上のように、システム１では、図３４に示す処理が行われることで、利用者は、顕微鏡装置２００の状態を常時把握することができる。例えば、入力された設定情報、及び、装着されている光学素子のいずれもが正しいにも関わらず、顕微鏡装置２００が異常状態にある場合には、顕微鏡装置２００の劣化、故障等が疑われる。このため、利用者が正常状態にあることを確認してから、顕微鏡装置２００を用いて検査を行うことで、検査の品質を維持することができる。
【０１３０】
［第２の実施形態］
図３７は、第２の実施形態に係るシステム２の構成を例示した図である。図３７に示すシステム２は、拠点毎にルータ（ルータ４０１、ルータ４０２）が設けられている点、及び、ルータと顕微鏡装置２００が有線ＬＡＮにより接続されている点が異なる。従って、システム２では、ＮＷインタフェース３６が、顕微鏡装置２００の通信部である。本実施形態に係るシステム２でも、第１の実施形態に係るシステム１と同様の効果を得ることができる。
【０１３１】
［第３の実施形態］
本実施形態に係るシステムの構成は、第１の実施形態に係るシステム１と同様である。このため、本実施形態に係るシステムの構成要素については、システム１の構成要素と同様の符号で参照する。以下では、複数の顕微鏡装置２００が一定水準の品質で検査を行うことを可能とするために本実施形態に係るシステムが行う処理について、システム１が行う処理との相違点を説明する。
【０１３２】
本実施形態では、図９に示す処理において、顕微鏡装置２００は、学習情報として、撮像装置１９の露出時間の代わりに、撮像装置１９で取得した顕微鏡画像の画質情報を送信する。即ち、顕微鏡装置２００の通信部が送信する学習情報は、少なくとも、サンプル情報、画質情報、及び、切替部の状態情報を含んでいる。画質情報は、例えば、顕微鏡画像のコントラストであってもよく、顕微鏡画像のフレームレートであってもよい。また、これらの両方であってもよい。なお、顕微鏡画像のフレームレートとは、ライブ画像である顕微鏡画像のフレームレートである。
【０１３３】
図３８は、判定情報登録更新処理のフローチャートの別の例である。図３９は、異常検知判定ファイルの別の例を示した図である。本実施形態に係るシステムは、図９に示す処理に含まれる学習処理において、図１４に示す判定情報登録更新処理の代わりに、図３８に示す判定情報登録更新処理を行う。以下、図３８及び図３９を参照しながら、本実施形態に係る情報処理装置１００が行う学習処理について、説明する。
【０１３４】
情報処理装置１００は、学習情報を受信すると、図３８に示す判定情報登録更新処理を行う。判定情報登録更新処理では、プロセッサ１０１は、まず、受信した学習情報から、サンプル情報、画質情報、及び、切替部の状態情報を取得する（ステップＳ３３１）。
【０１３５】
プロセッサ１０１は、ステップＳ３３１で取得したサンプル情報と状態情報との組み合わせに対応する許容フレームレート範囲を、異常検知判定ファイルから読み出す（ステップＳ３３２）。許容フレームレート範囲の読み出し後の処理（ステップＳ３３３からステップＳ３３８）は、露出時間の代わりに、ステップＳ３３１で取得した画質情報の一つであるフレームレートが用いられる点を除き、図１４のステップＳ３２３からステップＳ３２８までの処理と同様である。
【０１３６】
さらに、プロセッサ１０１は、ステップＳ３３１で取得したサンプル情報と状態情報との組み合わせに対応する許容コントラスト範囲を、異常検知判定ファイルから読み出す（ステップＳ３３９）。許容コントラスト範囲の読み出し後の処理（ステップＳ３４０からステップＳ３４５）は、露出時間の代わりに、ステップＳ３３１で取得した画質情報の一つであるコントラストが用いられる点を除き、図１４のステップＳ３２３からステップＳ３２８までの処理と同様である。
【０１３７】
図３９に示すファイルＦ６ａからファイルＦ６ｆは、異常検知判定ファイルの例である。なお、図３９では、サンプルの種類とミラーユニットとの組み合わせ毎に、異常検知判定ファイルが作成されている例が示されているが、異常検知判定ファイルの作成単位は特に限定しない。
【０１３８】
以上のように、本実施形態に係るシステムでも、システム１と同様に、情報処理装置１００にマスタ設定情報と判定情報を登録することができる。また、情報処理装置１００が学習処理を繰り返し行うことで許容画質範囲が適正化されるため、判定情報をより適切な判定情報へ更新することができる。
【０１３９】
図４０は、本実施形態に係るシステムが行う処理を例示したシーケンス図である。図４１は、第３設定準備処理のフローチャートの一例である。図４２は、情報送信処理のフローチャートの一例である。図４３は、伝送ファイル設定画面を例示した図である。図４４は、ターゲット画質情報ファイルの一例を示した図である。
【０１４０】
本実施形態に係るシステムは、複数の顕微鏡装置２００が一定水準の品質で検査を行うことを可能とするために、図２６に示す処理の代わりに、図４０に示す処理を行う。以下、図４０から図４４を参照しながら、図４０に示す処理について説明する。
【０１４１】
図４０に示す処理は、顕微鏡装置２００が行う第３設定準備処理（ステップＳ９００）と、情報処理装置１００が行う情報送信処理（ステップＳ１０００）と、を含んでいる。また、顕微鏡装置２００と情報処理装置１００の間では、少なくとも、設定情報要求、マスタ設定情報、及び、ターゲット画質情報がやり取りされる。なお、図４０の処理は、複数の顕微鏡装置２００の各々と、情報処理装置１００と、の間でそれぞれ行われることが望ましい。
【０１４２】
第３設定準備処理について説明する。システムが図４０に示す処理を開始すると、顕微鏡装置２００は、図４１に示す第３設定準備処理を行う（ステップＳ９００）。顕微鏡装置２００は、まず、設定情報要求を情報処理装置１００へ送信する（ステップＳ９１０）。
【０１４３】
ステップＳ９１０では、利用者が入力装置６０を用いてメイン画面のアイコンＣ４を押下すると、図４３に示す画面Ｇ６が表示装置５０に表示される。画面Ｇ６は、伝送ファイル設定画面である。領域Ｒ１２ａ及び領域Ｒ１２ｂは、顕微鏡装置２００から情報処理装置１００へアップロードするファイルを指定するための領域である。領域１２ａで指定されたファイルは、ボタンＢ７が押下されたときにアップロードされる。領域Ｒ１３は、情報処理装置１００から顕微鏡装置２００へダウンロードするファイルを指定するための領域である。領域Ｒ１３で指定されたファイルは、ボタンＢ８が押下されたときにダウンロードされる。画面Ｇ６は、ターゲット画質情報ファイルをダウンロード対象として選択可能な点が、図２１に示す画面Ｇ４とは異なる。
【０１４４】
利用者は、入力装置６０を用いて、画面Ｇ６の領域Ｒ１３において装着設定ファイル、カスタマイズ設定ファイル、及び、ターゲット画質情報ファイルをダウンロード対象として指定する。そして、その後、利用者がボタンＢ８を押下すると、通信装置４０が、設定情報要求を情報処理装置１００へ送信する。
ステップＳ９２０及びステップＳ９３０の処理は、図２７のステップＳ４２０及びステップＳ４３０の処理と同様である。
【０１４５】
その後、顕微鏡装置２００は、情報処理装置１００からターゲット画質情報を受信する（ステップＳ９４０）。具体的には、通信装置４０が複数の検鏡法に対応する複数のターゲット画質情報を情報処理装置１００から受信する。ターゲット画質情報とは、顕微鏡装置の個体差を吸収し一定水準の検査品質を実現するための情報である。
【０１４６】
最後に、顕微鏡装置２００は、ターゲット画質情報を登録し（ステップＳ９５０）、第３設定準備処理を終了する。具体的には、プロセッサ３１が、通信装置４０が受信したターゲット画質情報を含むファイルであるターゲット画質ファイルを、ストレージ３４に作成する。なお、すでにターゲット画質情報ファイルが作成されている場合には、そのファイルの内容をステップＳ９４０で受信したターゲット画質情報に更新する。
【０１４７】
図４４に示すファイルＦ７ａからファイルＦ７ｃは、ターゲット画質情報ファイルの例である。なお、図４４では、サンプルの種類とミラーユニットとの組み合わせ毎に、ターゲット画質情報ファイルが作成されている例が示されているが、ターゲット画質情報ファイルの作成単位は特に限定しない。
【０１４８】
情報送信処理について説明する。システムが図４０に示す処理を開始し、顕微鏡装置２００が設定情報要求を送信すると、情報処理装置１００は、図４２に示す情報送信処理を行う（ステップＳ１０００）。
【０１４９】
情報送信処理のステップＳ１０１０からステップＳ１０３０までの処理は、図２８のステップＳ５１０からステップＳ５３０までの処理と同様である。
【０１５０】
その後、情報処理装置１００は、ターゲット画質情報を作成する（ステップＳ１０４０）。具体的には、プロセッサ１０１は、図３９に示す異常検知判定ファイルから、サンプル情報と切替部の状態情報との組み合わせ毎に、許容フレームレート範囲と許容コントラスト範囲を読み出す。そして、プロセッサ１０１は、許容フレームレート範囲からターゲットフレームレートを算出し、許容コントラスト範囲からターゲットコントラストを算出する。なお、ターゲットフレームレートは、例えば、許容フレームレートのＭＡＸ値とＭＩＮ値の中間値（＝（ＭＡＸ値＋ＭＩＮ値）／２）である。また、ターゲットコントラストは、例えば、許容コントラストのＭＡＸ値とＭＩＮ値の中間値（＝（ＭＡＸ値＋ＭＩＮ値）／２）である。
【０１５１】
最後に、情報処理装置１００は、ターゲット画質情報を、顕微鏡装置２００送信し（ステップＳ１０５０）、情報送信処理を終了する。具体的には、ＮＷインタフェース１０６が、設定情報要求に応じて、その要求の送信元である顕微鏡装置２００へターゲット画質情報を送信する。
【０１５２】
以上のように、本実施形態に係るシステムでは、図４０に示す処理が行われることで、情報処理装置１００から受信したマスタ設定情報が自機設定情報として顕微鏡装置２００に登録される。このため、顕微鏡装置２００に人手で自機設定情報を入力する必要がなく、正しい設定情報を容易に登録することができる。
【０１５３】
また、本実施形態に係るシステムでは、複数の検鏡法に対応する複数のターゲット画質情報も顕微鏡装置２００に登録される。そして、顕微鏡装置２００では、切替部の状態が変化したときに、プロセッサ３１が、使用する検鏡法に対応するカスタマイズ設定情報と使用する検鏡法に対応するターゲット画質情報とに応じて、電動ユニットの設定を変更する。
【０１５４】
カスタマイズ設定情報を作成し情報処理装置１００へアップロードした顕微鏡装置２００（第１の顕微鏡装置と記す。）とカスタマイズ設定情報をダウンロードした顕微鏡装置２００（第２の顕微鏡装置と記す。）との間に個体差が有る場合、システム１では、同じ設定の顕微鏡装置２００間で異なる画質の画像が得られることがある。これに対して、本実施形態に係るシステムでは、カスタマイズ設定情報に加えてターゲット画質情報を用いて電動ユニットの設定が変更されるため、複数の顕微鏡装置２００に個体差がある場合であっても、複数の顕微鏡装置２００は一定水準の画質を有する画像を得ることができる。従って、複数の顕微鏡装置２００が一定水準の品質で検査を行うことを可能となる。
【０１５５】
本実施形態では、図２９及び図３４に示す処理において、顕微鏡装置２００は、情報処理装置１００へ送信する判定要求に、撮像装置１９の露出時間の代わりに撮像装置１９で取得した顕微鏡画像の画質情報を、含める。即ち、顕微鏡装置２００の通信部が送信する判定要求は、少なくとも、サンプル情報、画質情報、及び、切替部の状態情報を含んでいる。
【０１５６】
情報処理装置１００は、図２９及び図３４に示す処理において、図３１に示す判定結果送信処理の代わりに、図４５を示す判定結果送信処理を行う。図４５は、判定結果送信処理のフローチャートの別の例である。
【０１５７】
判定結果送信処理では、情報処理装置１００は、まず、判定要求を受信する（ステップＳ１１１０）。具体的には、ＮＷインタフェース１０６が、少なくとも、サンプル情報、画質情報、及び、切替部の状態情報を含む判定要求を、顕微鏡装置２００から受信する。
【０１５８】
その後、情報処理装置１００は、判定要求から、サンプル情報、画質情報、切替部の状態情報を取得する（ステップＳ１１２０）。さらに、情報処理装置１００は、ステップＳ１１２０で取得したサンプル情報と状態情報の組み合わせに対応する許容フレームレート範囲と許容コントラスト範囲を、判定情報を含む異常検知判定ファイルから取得する（ステップＳ１１３０）。
【０１５９】
その後、情報処理装置１００は、ステップＳ１１２０で取得した画質情報が示すフレームレートがステップＳ１１３０で取得した許容フレームレート範囲内で、且つ、ステップＳ１１２０で取得した画質情報が示すコントラストがステップＳ１１３０で取得した許容コントラスト範囲内であるか否かを判定する（ステップＳ１１４０）。
【０１６０】
許容範囲内でない場合には、情報処理装置１００は、異常状態を示す判定結果を作成し（ステップＳ１１５０）、作成した判定結果を判定要求の送信元の顕微鏡装置２００へ送信して（ステップＳ１１７０）、判定結果送信処理を終了する。一方、許容範囲内である場合には、情報処理装置１００は、正常状態を示す判定結果を作成し（ステップＳ１１６０）、作成した判定結果を判定要求の送信元の顕微鏡装置２００へ送信して（ステップＳ１１７０）、判定結果送信処理を終了する。
【０１６１】
即ち、プロセッサ１０１は、判定要求と判定情報に基づいて、判定要求の送信元である顕微鏡装置２００の状態が正常状態か異常状態かを示す判定結果を作成する。また、ＮＷインタフェース１０６は、判定要求に応じて、判定要求の送信元である顕微鏡装置２００へ、作成した判定結果を送信する。
【０１６２】
本実施形態に係るシステムでも、第１の実施形態に係るシステム１の場合と同様に、利用者は、顕微鏡装置２００が正常状態か異常状態かを把握することができる。
【０１６３】
最後に、管理端末３００の機能について紹介する。図４６から図４８は、管理端末３００に表示される画面を例示した図である。図４６は、管理画面Ｗ１を例示した図である。図４７は、ステータス一覧画面Ｗ２を例示した図である。図４８は、伝送ファイル設定画面Ｗ３を例示した図である。
【０１６４】
情報処理装置１００には、Ｗｅｂサーバソフトウェアがインストールされている。また、情報処理装置１００には、Ｗｅｂサーバソフトウェア上で動作するＷｅｂアプリケーションが構築されている。管理端末３００は、Ｗｅｂブラウザを使って情報処理装置１００のＷｅｂアプリケーションにアクセスする。
【０１６５】
図４６に示す画面Ｗ１は、情報処理装置１００上に作成されたＷｅｂアプリケーションのトップ画面である。管理端末３００の操作者が画面Ｗ１のアイコンＣ５を選択すると、情報処理装置１００は、図４７に示す画面Ｗ２を管理端末３００のＷｅｂブラウザに表示させる。画面Ｗ２には、各拠点に配置されている顕微鏡装置２００の状態が表示されている。情報処理装置１００は、各顕微鏡装置２００から送信された判定要求に応じて判定要求の送信元の顕微鏡装置２００の状態を判定している。このため、複数の顕微鏡装置２００の状態についての情報を保持している。画面Ｗ２は、情報処理装置１００が保持している上記の情報に基づいて作成される。
【０１６６】
また、管理端末３００の操作者が画面Ｗ１のアイコンＣ６を選択すると、情報処理装置１００は、図４８に示す画面Ｗ３を管理端末３００のＷｅｂブラウザに表示させる。管理端末３００の操作者が領域Ｒ１８で伝送対象のファイルを指定してボタンＢ９を押下することで、顕微鏡装置２００から情報処理装置１００へのアップロード処理を情報処理装置１００に遠隔操作で行わせることができる。また、管理端末３００の操作者が領域Ｒ１９で伝送対象のファイルを指定してボタンＢ１０を押下することで、情報処理装置１００から顕微鏡装置２００へのダウンロード処理を情報処理装置１００に遠隔操作で行わせることができる。なお、対象とする顕微鏡装置２００は、領域Ｒ１６及び領域Ｒ１７で指定可能である。
【０１６７】
上述した実施形態は、発明の理解を容易にするための具体例を示したものであり、本発明の実施形態はこれらに限定されるものではない。顕微鏡装置、情報処理装置、システム、動作方法、及び、プログラムは、特許請求の範囲の記載を逸脱しない範囲において、さまざまな変形、変更が可能である。
【０１６８】
情報処理装置１００が異常検知判定ファイルを用いて顕微鏡装置２００の異常を検知する例を示したが、情報処理装置１００は、異常が発生する前に、顕微鏡装置２００の異常発生を予測してもよい。例えば、複数の顕微鏡装置２００のコントラスト情報を監視し、これらのコントラスト情報を比較することで、特定の顕微鏡装置２００の異常の発生を予測してもよい。また、コントラスト情報の不自然な変化を検知することで、顕微鏡装置２００の異常の発生を予測してもよい（例えば、図４９の位置Ｐ１参照）。さらに、例えば、時間当たりのコントラストの低下を算出することで、異常発生時期を予測してもよい。
【０１６９】
上述した例では、画質情報として、コントラストとフレームレートを例示したが、画像の輝度情報を、画質情報として用いても良い。
【符号の説明】
【０１７０】
１、２・・・システム、１１・・・光源、１２・・・開口絞り、１３・・・ミラースライダ、１３ａ、１３ｂ、１３ｃ・・・ミラーユニット、１３ｐ１〜１３ｐ３、１４ｐ１〜１４ｐ６・・・装着位置、１４・・・レボルバ、１５ａ、１５ｂ・・・対物レンズ、１７・・・サンプル、１９・・・撮像装置、２０・・・顕微鏡コントローラ、３０・・・コンピュータ、３１、１０１・・・プロセッサ、３２、１０２・・・メモリ、３３、１０３・・・Ｉ／Ｏインタフェース、３４、１０４・・・ストレージ、３５、１０５・・・可搬記憶媒体駆動装置、３６、１０６・・・ＮＷインタフェース、３７、１０７・・・バス、３８、１０７・・・可搬記憶媒体、４０・・・通信装置、５０・・・表示装置、６０・・・入力装置、１００・・・情報処理装置、２００、２００ａ、２００ｂ、２００ｃ、２００Ａ、２００Ｂ、２００Ｃ・・・顕微鏡装置、３００、３００ａ、３００ｂ・・・管理端末、Ｍ１・・・装着設定情報、Ｍ２ａ、Ｍ２ｂ、Ｍ２ｃ・・・カスタマイズ設定情報
【図１】
2019159164.tif 000003
【図２】
2019159164.tif 000004
【図３】
2019159164.tif 000005
【図４】
2019159164.tif 000006
【図５】
2019159164.tif 000007
【図６】
2019159164.tif 000008
【図７】
2019159164.tif 000009
【図８】
2019159164.tif 000010
【図９】
2019159164.tif 000011
【図１０】
2019159164.tif 000012
【図１１】
2019159164.tif 000013
【図１２】
2019159164.tif 000014
【図１３】
2019159164.tif 000015
【図１４】
2019159164.tif 000016
【図１５】
2019159164.tif 000017
【図１６】
2019159164.tif 000018
【図１７】
2019159164.tif 000019
【図１８】
2019159164.tif 000020
【図１９】
2019159164.tif 000021
【図２０】
2019159164.tif 000022
【図２１】
2019159164.tif 000023
【図２２】
2019159164.tif 000024
【図２３】
2019159164.tif 000025
【図２４】
2019159164.tif 000026
【図２５】
2019159164.tif 000027
【図２６】
2019159164.tif 000028
【図２７】
2019159164.tif 000029
【図２８】
2019159164.tif 000030
【図２９】
2019159164.tif 000031
【図３０】
2019159164.tif 000032
【図３１】
2019159164.tif 000033
【図３２】
2019159164.tif 000034
【図３３】
2019159164.tif 000035
【図３４】
2019159164.tif 000036
【図３５】
2019159164.tif 000037
【図３６】
2019159164.tif 000038
【図３７】
2019159164.tif 000039
【図３８】
2019159164.tif 000040
【図３９】
2019159164.tif 000041
【図４０】
2019159164.tif 000042
【図４１】
2019159164.tif 000043
【図４２】
2019159164.tif 000044
【図４３】
2019159164.tif 000045
【図４４】
2019159164.tif 000046
【図４５】
2019159164.tif 000047
【図４６】
2019159164.tif 000048
【図４７】
2019159164.tif 000049
【図４８】
2019159164.tif 000050
【図４９】
2019159164.tif 000051